(57)【特許請求の範囲】
【請求項１】
液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記出水孔が前記容器の底面の外周付近に設けられ、前記導水管の上端部の略直上が前記仕切り板の前記頂上部とされた電気湯沸し器。
【請求項２】
液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記出水孔が前記容器底面の外周付近に設けられ、前記導水管の上端部の略直上が前記仕切り板の前記頂上部とされ、前記流水経路が前記出水孔と反対側に設けられた電気湯沸し器。
【請求項３】
液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記導水管の上端付近の前記開口と前記容器の前記出水孔との経路を主水路とし、前記導水管の下端付近に前記出水孔に通じる第２の経路を設けて補水路とした電気湯沸し器。
【請求項４】
液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記仕切り板の前記排泡孔に、上昇により開弁し下降により閉弁する弁を設け、前記弁を１平方センチメートル当たり２から５グラムの重量にした電気湯沸し器。
【請求項５】
前記流水経路を、前記仕切り板の全周にわたり略均等に配した請求項１、請求項３または請求項４記載の電気湯沸し器。
【請求項６】
前記仕切り板の内部が空気層となった２重構成とする請求項１、請求項２、請求項３または請求項４記載の電気湯沸し器。
【請求項７】
前記仕切り板の内部が大気圧より若干低い程度の中空層となった２重構成とする請求項１、請求項２、請求項３または請求項４記載の電気湯沸し器。
【請求項８】
前記仕切り板の内部が真空の中空層となった２重構成とする請求項１、請求項２、請求項３または請求項４記載の電気湯沸し器。
【請求項９】
前記仕切り板により覆われた前記容器底面側の容積は、約１０００ｍｌ以下である請求項１、請求項２、請求項３または請求項４記載の電気湯沸し器。
【請求項１０】
収容液体を加熱するヒータを有する容器と、前記収容液体を前記ヒータ側と反ヒータ側に分割する仕切り板と、この仕切り板の頂部に取付けた弁と、前記容器に設けられ前記仕切り板により分割された前記ヒータ側の前記収容液体を取出す取湯口とを備え、前記仕切り板の前記ヒータ側の液温の高低に応じて前記弁を開閉制御する温度可変部を設けた分割加熱器。
【請求項１１】
収容液体を加熱するヒータを有する容器と、前記収容液体を前記ヒータ側と反ヒータ側に分割する仕切り板と、この仕切り板の頂部に取付けた弁と、前記容器に設けられ前記仕切り板により分割された前記ヒータ側の前記収容液体を取出す取湯口とを備え、前記ヒータは前記仕切り板の前記ヒータ側の前記収容液体を加熱する内ヒータであり、前記反ヒータ側の前記収容液体を加熱する外ヒータを設けた分割加熱器。
【請求項１２】
前記仕切り板の前記ヒータ側に活性炭を備えた請求項１０または請求項１１記載の分割加熱器。
【請求項１３】
前記仕切り板を容器に着脱自在に取付けた請求項１０または請求項１１記載の分割加熱器。
【請求項１４】
前記仕切り板の底に流水経路用の隙間を設けた請求項１０または請求項１１記載の分割加熱器。
【請求項１５】
前記仕切り板の前記反ヒータ側の液温を検知するセンサを前記仕切り板の反ヒータ側の液体と面する容器の外面に設けた請求項１０または請求項１１記載の分割加熱器。
【請求項１６】
前記仕切り板の前記反ヒータ側の液温を検知するセンサを備え、前記仕切り板の前記反ヒータ側の前記収容液体が沸点に到達しないようにした請求項１０または請求項１１記載の分割加熱器。
【請求項１７】
前記仕切り板の前記ヒータ側の前記収容液体の取出し中も加熱を継続する請求項１６記載の分割加熱器。
【発明の詳細な説明】
【０００１】
【発明の属する技術分野】
本発明は、主として一般家庭または事務所等で使用される、収容液体を加熱、保温する電気湯沸し器、電気湯沸し器等の早沸し手段としての分割加熱器、および給湯器に関するものである。
【０００２】
【従来の技術】
従来のこの種の電気湯沸し器は図２５に示すようであった。１は上方を開口し上端部に外方にフランジ２を設けて底部に加熱手段であるヒータ３を備えた容器である。４は中央に円筒状の保持部５を設けて保持部５にパッキン６を介して水密的に容器１を係止する上枠であり、一端にヒンジ７が設けてある。８は上枠４を保持して容器１を収納する本体である。
【０００３】
９は容器１上部を覆う蓋であり、該蓋９の一端に取り付けたピン１０を上枠４のヒンジ７に嵌着して回転する。蓋９には蒸気口１１が設けられ、蓋９の上側から下側へ貫通して貫通穴１２が設けられ、蒸気口１１と貫通穴１２を連通する蒸気通路１３が取り付けられている。蓋９の貫通穴１２下方近傍には蒸気抜き穴１４が複数個設けてある。１５は蓋９の外周に備えられたシールパッキンであり、蓋９の閉塞で前記容器１のフランジ２を気密的にシールする。
【０００４】
１６は容器１底部に一端を連通し、他端を本体８外方に開口した送水管１７に連通した送水装置を構成する遠心ポンプである。
【０００５】
１８は蓋９のピン１０と反対側に備えられて内部から外方へばね１９で付勢して外方から内方にばね１９の付勢にうち勝って摺動するロック部材である。２０はロック部材１８を摺動させる操作つまみである。２１は上枠４のヒンジ７と反対側に設けられた係止部である。ヒンジ７にピン１０が嵌合して蓋９が回転しロック部材１８が係止部２１に係止して蓋９の上枠４への嵌合が完了する。このとき蓋９のシールパッキン１３は容器１上端のフランジ２を気密的にシールする。
【０００６】
２２は外部より電気を給電する接続部である。２３は容器１底部略中央に接触して備えられた温度検知素子である。２４は温度検知素子２３からの信号でヒータ３への通電を制御するとともに操作部２５の回路を制御する制御回路である。
【０００７】
以上のように構成された電気湯沸かし器において、容器１に水を給水する。ピン１０を軸にして蓋９を閉じるとロック部材１８が係止部２１に係止してシールパッキン１５がフランジ２を水密的にシールする。
【０００８】
次に接続部２２から電気を給電する。温度検知素子２３は容器１底部を介して湯温を検知し、制御回路２４が温度検知素子２３からの信号でヒータ３へ通電して湯沸かしする。やがて水温が上昇し、沸騰すると温度検知素子２３がこれを検知して制御回路２４がヒータ３への通電を断電し、以降は温度検知素子２３からの信号で制御回路２４はヒータ３への通電を制御して所定の保温温度を維持する。
【０００９】
湯を所望のときは操作部２５を操作して遠心ポンプ１６を作動させ送水管１７を介して給湯する。
【００１０】
【発明が解決しようとする課題】
上記従来の構成の電気湯沸し器では、容器１内に定格の水量を入れると全体が沸騰するまで湯を使えないので、例えばコップ１杯程度の少量の湯を汲む場合には容器１の定格容量が３Ｌ程度であれば１５〜２０分程度の湯沸かし待ち時間を要し、急いで湯が欲しい場合には使い勝手の悪いものであった。
【００１１】
また、本体１の節電などのため８５°Ｃ程度の温度で保温時に沸騰した湯を使うには３〜５分程度の湯沸かし待ち時間を要した。
【００１２】
したがって、上記従来の問題点を解決し、容器内に定格容量に近い多量の水や保温中の湯が入っていても、湯であれば短時間で高温にして供給できる電気湯沸し器が必要とされた。
【００１３】
また、従来の給湯器も同様な問題があり、液体を急速に昇温し、更に容器全体の液体の温度も従来と同じ時間で昇温できる使い勝手の良い給湯器が必要とされた。
【００１４】
一方、早沸し手段としては電気冷温水機の例があり、実公昭６１−１７０９８１号公報に記載されたものが知られている。その構成は図２６のようになっている。４０１は冷却加熱部４０２とその上部に配置する貯水部４０３から成るタンクで、冷却加熱部４０２の外壁の外周に冷却器４０４および冷却加熱器４０２の底部にはヒータ４０５が取付けてある。４０６はタンク４０１内の冷却加熱部４０２と貯水部４０３を仕切る仕切り板（分割加熱器）で、貯水部４０３から冷却加熱部４０２へ水を導いたり、加熱時、冷却加熱部４０２で発生した気泡を上部へ逃がすため、通水部４０７が設けられている。この通水部４０７の冷却加熱部４０２側に形状記憶合金でできた温度可変部４０８とこの先端に設けられた通水部遮蔽板４０９から成る制御板４１０が取付けられている。
【００１５】
上記構成により、冷水時、温水時により通水部４０７の開口面積を変化させることが可能になり、特に温水時には通水部４０７の開口面積を小さくするように動作させて、冷却加熱部４０２内の水の昇温時間を短くさせることができる。
【００１６】
しかしながら上記従来の技術では、加熱時にいくら開口面積を小さくしても、通水部４０７がある限り常に加熱された水が貯水部４０３に逃げるので加熱効率が落ちるという課題があった。また、通水部４０７を全閉した場合には昇温時間は短くなり、加熱効率は上がるが、冷却加熱部４０２内で発生した気泡は逃げ場がなく、ある程度溜まってくると仕切板（仕切り板）４０６を浮かしてそこから逃げる。そのとき、一気に冷水が冷却加熱部４０２内に入ってくるために温水が冷えてしまうという課題があり、特に冷却加熱部４０２内の水を沸騰させる場合、気泡が大量に発生するのでその傾向は顕著になる。
【００１７】
そこで、本発明の目的は、上記従来の問題点を解決するもので、容器内に定格容量に近い多量の水や保温中の湯が入っていても、湯であれば短時間で高温にして供給できる有用な機能を有する電気湯沸し器、液体を急速に昇温し、容器全体の温度も従来と同じ時間で昇温することもできる使い勝手の良い給湯器、さらに加熱効率を落とさずに発生した気泡を（特に沸騰させた場合でも）うまく逃がすこともできる分割加熱器を提供するものである。
【００１８】
【課題を解決するための手段】
請求項１記載の電気湯沸し器は、液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記出水孔が前記容器の底面の外周付近に設けられ、前記導水管の上端部の略直上が前記仕切り板の前記頂上部とされたものである。
【００１９】
請求項１記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
容器の出水孔を容器底面の外周付近に設け、導水管上端部の略直上を仕切り板の頂上部としたため、遠心ポンプ等の送水装置から湯が吐出され易くすることができる。
【００２０】
請求項２記載の電気湯沸し器は、液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記出水孔が前記容器の底面の外周付近に設けられ、前記導水管の上端部の略直上が前記仕切り板の前記頂上部とされ、前記流水経路が前記出水孔と反対側に設けられたものである。
【００２１】
請求項２記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
また容器の出水孔を容器底面の外周付近に設け、導水管上端部の略直上を仕切り板の頂上部とし、流水経路を出水孔と反対側に設けたため、遠心ポンプ等の送水装置から湯が吐出され易くしつつ、供給する高温の湯量を増すことができる。
【００２２】
請求項３記載の電気湯沸し器は、液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記導水管の上端付近の開口と前記容器の前記出水孔との経路を主水路とし、前記導水管の下端付近に前記出水孔に通じる第２の経路を設けて補水路としたものである。
【００２３】
請求項３記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
また導水管の上端付近の開口と容器の出水孔との経路を主水路とし、導水管下端付近に容器の出水孔に通じる第２の経路を設けて補水路としたため、遠心ポンプ等の送水装置による出湯後、容器内の残湯量を低減し容器内の湯を有効に使用することができる。
【００２４】
請求項４記載の電気湯沸し器は、液体を収納する容器と、この容器又は容器内の液体を加熱する加熱手段と、前記容器の上部を覆う蓋と、前記容器内の液体を取り出す送水装置と、前記容器内に配置した碗状の仕切り板とを備え、
前記仕切り板で覆われた前記容器の底面に前記送水装置へ通じる出水孔を設け、前記仕切り板の下端と前記容器の底面との間に流水経路を形成し、前記仕切り板の頂上部に排泡孔を設け、前記出水孔から上向きに延長し上端付近が開口した導水管を設け、
前記仕切り板の前記排泡孔に、上昇により開弁し下降により閉弁する弁を設け、前記弁を１平方センチメートル当たり２から５グラムの重量にしたものである。
【００２５】
請求項４記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
仕切り板の排泡孔に、上昇により開弁し下降により閉弁する弁を設け、前記弁を１平方センチメートル当たり２から５グラムの重量にしたため、仕切り板の内側で発生した気泡を効果的に排出し、気泡排出時に仕切り板外の水が仕切り板内に侵入しにくくし、仕切り板内の湯を高温に維持することができる。
【００２６】
請求項５記載の電気湯沸し器は、請求項１、請求項３または請求項４において、流水経路を前記仕切り板の全周にわたり略均等に配したものである。
【００２７】
請求項５記載の電気湯沸し器によれば、請求項１、請求項３または請求項４と同様な効果のほか、仕切り板内部から供給される高温の湯量を増すことができる。
【００２８】
請求項６記載の電気湯沸し器は、請求項１、請求項２、請求項３または請求項４において、仕切り板の内部が空気層となった２重構成とするものである。
【００２９】
請求項６記載の電気湯沸し器によれば、請求項１、請求項２、請求項３または請求項４と同様な効果のほか、仕切り板の断熱性を高くして、仕切り板内の水温上昇を早めかつ、供給する湯温を高くすることができる。
【００３０】
請求項７記載の電気湯沸し器は、請求項１、請求項２、請求項３または請求項４において、仕切り板の内部が大気圧より若干低い程度の中空層となった２重構成とするものである。
【００３１】
請求項７記載の電気湯沸し器によれば、請求項１、請求項２、請求項３または請求項４と同様な効果のほか、仕切り板の断熱性を高めつつ、中空層の膨張によって仕切り板に生じる応力を低減することができる。
【００３２】
請求項８記載の電気湯沸し器は、請求項１、請求項２、請求項３または請求項４において、仕切り板の中央が真空の中空層となった２重構成とするものである。
【００３３】
請求項８記載の電気湯沸し器によれば、請求項１、請求項２、請求項３または請求項４と同様な効果のほか、仕切り板の断熱性を大幅に高めつつ、中空層の膨張によって仕切り板に生じる応力を大幅に低減することができる。
【００３４】
請求項９記載の電気湯沸し器は、請求項１、請求項２、請求項３または請求項４において、仕切り板により覆われた前記容器底面側の容積は、約１０００ｍｌ以下としたものである。
【００３５】
請求項９記載の電気湯沸し器によれば、請求項１、請求項２、請求項３または請求項４と同様な効果がある。
【００３６】
請求項１０記載の分割加熱器は、収容液体を加熱するヒータを有する容器と、収容液体をヒータ側と反ヒータ側に分割する仕切り板と、この仕切り板の頂部に取付けた弁と、前記容器に設けられ前記仕切り板により分割された前記ヒータ側の液体を取出す取湯口とを備え、前記仕切り板の前記ヒータ側の液温の高低に応じて弁を開閉制御する温度可変部を設けたものである。
【００３７】
請求項１０記載の分割加熱器によれば、仕切り板のヒータ側の気泡がある一定量溜まるまでは弁は開かず、常に閉じているので加熱効率は落ちず、良好で、また逆に、気泡がある一定量以上溜まったり、沸騰状態のとき、弁が開き気泡を逃がすので仕切り板を浮かすことがなく、一気に温水が冷えない。したがって、加熱効率が良好で安定した早沸しを行うことができる。また仕切り板のヒータ側の液温の高低に応じて弁を開閉制御する温度可変部を設けたため、仕切り板のヒータ側の液温を一定に保ちつつ、仕切り板の反ヒータ側の液体の加熱も行うことができる。
【００３８】
請求項１１記載の分割加熱器は、収容液体を加熱するヒータを有する容器と、収容液体をヒータ側と反ヒータ側に分割する仕切り板と、この仕切り板の頂部に取付けた弁と、前記容器に設けられ前記仕切り板により分割された前記ヒータ側の液体を取出す取湯口とを備え、前記ヒータは前記仕切り板の前記ヒータ側の液体を加熱する内ヒータであり、前記反ヒータ側の液体を加熱する外ヒータを設けたものである。
【００３９】
請求項１１記載の分割加熱器によれば、仕切り板のヒータ側の気泡がある一定量溜まるまでは弁は開かず、常に閉じているので加熱効率は落ちず、良好で、また逆に、気泡がある一定量以上溜まったり、沸騰状態のとき、弁が開き気泡を逃がすので仕切り板を浮かすことがなく、一気に温水が冷えない。したがって、加熱効率が良好で安定した早沸しを行うことができる。また仕切り板のヒータ側の液体を加熱する内ヒータ、反ヒータ側の液体を加熱する外ヒータを設けたため、仕切り板のヒータ側の液温を一定に保ちつつ、仕切り板の反ヒータ側の液体の加熱も行うことができる。
【００４０】
請求項１２記載の分割加熱器は、請求項１０または請求項１１において、仕切り板のヒータ側に活性炭を備えたものである。
【００４１】
請求項１２記載の分割加熱器によれば、請求項１０または請求項１１と同様な効果のほか、塩素除去等の浄水性能を向上させることができる。
【００４２】
請求項１３記載の分割加熱器は、請求項１０または請求項１１において、仕切り板を容器に着脱自在に取付けたものである。
【００４３】
請求項１３記載の分割加熱器によれば、請求項１０または請求項１１と同様な効果のほか、例えば容器の内側面に凸部を形成し、仕切り板に凸部と係合可能な環状リブを設けたり、仕切り板に磁石を取付けたもので、容器内の水を捨てたりするときに、仕切り板が脱落することを防止することができる。
【００４４】
請求項１４記載の分割加熱器は、請求項１０または請求項１１において、仕切り板の底に流水経路用の隙間を設けたものである。
【００４５】
請求項１４記載の分割加熱器によれば、請求項１０または請求項１１と同様な効果のほか、例えば仕切り板の底に突起を設けたもので、容器と一定の隙間を形成することにより、仕切り板への液体の供給を容易に、しかも安定させることができる。
【００４６】
請求項１５記載の分割加熱器は、請求項１０または請求項１１において、仕切り板の反ヒータ側の液温を検知するセンサを仕切り板の反ヒータ側の液体と面する容器の外面に設けたものである。
【００４７】
請求項１５記載の分割加熱器によれば、請求項１０または請求項１１と同様な効果のほか、仕切り板の反ヒータ側の液温を確実に検知することができる。
【００４８】
請求項１６記載の分割加熱器は、請求項１０または請求項１１において、仕切り板の反ヒータ側の液温を検知するセンサを備え、仕切り板の反ヒータ側の液体が沸点に到達しないようにしたものである。
【００４９】
請求項１６記載の分割加熱器によれば、請求項１０または請求項１１と同様な効果のほか、仕切り板の反ヒータ側の液温が沸点に到達することなく、所定の液温以下にすることができ、出湯量の低下を防止することができる。また、仕切り板の反ヒータ側の液温が沸点に到達しないようにすれば、蓋の蒸気口からの蒸気の噴出をおさえることもできる。
【００５０】
請求項１７記載の分割加熱器は、請求項１６において、仕切り板のヒータ側の液体の取出し中も加熱を継続するものである。
【００５１】
請求項１７記載の分割加熱器によれば、請求項１６と同様な効果のほか、仕切り板の反ヒータ側の液温が沸点に到達することなく、かつ所定の液温以下で仕切り板のヒータ側の液体の取出し中も加熱を継続することにより、出湯後の次の出湯を早く行うことができる。また、容器内全体の湯沸かしも早く行うことができる。
【００７４】
【発明の実施の形態】
（実施の形態１）
本発明の第１の実施の形態について、図１を参照しながら説明する。フランジ２、加熱手段を構成するヒータ３、上枠４、保持部５、パッキン６、ヒンジ７、本体８、蓋９、ピン１０、貫通穴１２、蒸気抜き穴１４、シールパッキン１５、送水装置を構成する遠心ポンプ１６、送水管１７、ロック部材１８、ばね１９、操作つまみ２０、係止部２１、接続部２２、温度検知素子２３、制御回路２４、操作部２５は従来例と同一の形状と機能である。
【００７５】
容器３１の底面中央部には遠心ポンプ１６に通じる出水口３２を設け、容器３１の底面との間に流水経路３３となる隙間を保って、容器３内に下方を径大にして載置した碗状の仕切り板３４を、外周部がヒータ３を囲み込むように容器３１の内径に近接する程度の大きさとして設け、容器３１内は仕切り板３４内部の第１の空間３５と仕切り板３４外部の第２の空間３６とに分離されている。仕切り板３４の材質はステンレスとしているがこれに限るものでなく、ガラスや磁器や耐熱水性樹脂など耐熱性がある材料であればよく、熱伝導率が小さい方が好ましい。仕切り板３４の頂上部には流水経路３３に比べ１０分の１程度と十分に総面積を小さくした排泡孔３７を設け、出水孔３２からは上向きに延長され上端付近が開口３８となった導水管３９を備ている。
【００７６】
上記構成における作用を説明する。容器３１に水を入れ接続部２２を電源に接続しヒータ３に通電すると容器３１の内部の水が加熱されるが、容器３１の内部は仕切り板３４によってヒータ３側の第１の空間３５と蓋９側の第２の空間３６とに分離されているので、ヒータ３側の第１の空間３５内の水は急速に加熱され温度が上昇する。仕切り板３４の頂上部には排泡口３７が設けられているが、排泡孔３７からの漏れ量は微量で、ヒータ３からの受熱量の一部が第２の空間３６内に漏れる程度である。このため第１の空間３５内はヒータ３の電気容量が１２００Ｗ程度で第１の空間３５の容積が７００ｍＬ程度であれば、実験によれば５〜６分程度で沸騰する。温度検知素子２３で容器３１の温度を検出し制御回路２４で沸騰到達を検知することができる。沸騰後遠心ポンプ１６を動作させると、第１の空間３５内の湯は導水管３９上部の開口３８から取り出され、給湯した量だけ仕切り板３４下端側の流水経路３３を通り第２の空間３６内の低温の水が第１の空間３５内に供給され、第１の空間３５内の高温の湯とは温度差による比重差からすぐには混ざり合わない。そして、第２の空間３６内から導かれた水は容器３１の底側から徐々に盛り上がり、仕切り板３４の壁面に近づいていく。導水管３９の開口３８は仕切り板３４の頂上近くに位置するので、仕切り板３４内の容積の相当量が高温を保ち給湯される。具体的には仕切り板３４内容積が７００ｍＬ程度であれば、５００ｍＬ程度を８５°Ｃ程度の高温で得ることができる。
【００７７】
このように、容器３１内に定格容量に近い多量の水が入っていても、少量の湯であれば容器３１内の水すべてが沸騰するのを待たずに、短時間で高温にして供給できる。容器３１内が８５°Ｃ程度に保温中に沸騰した少量の高温の湯を得る場合も同様で、このときは１分程度で高温の湯を得られ、仕切り板内部の湯のみが再加熱されるので、消費電力を低減する効果もある。
【００７８】
（実施の形態２）
本発明の第２の実施の形態について、図２に基づいて説明する。フランジ２、加熱手段を構成するヒータ３、上枠４、保持部５、パッキン６、ヒンジ７、本体８、蓋９、ピン１０、貫通穴１２、蒸気抜き穴１４、シールパッキン１５、送水装置を構成する遠心ポンプ１６、送水管１７、ロック部材１８、ばね１９、操作つまみ２０、係止部２１、接続部２２、温度検知素子２３、制御回路２４、操作部２５は従来例と同一の形状と機能である。また、容器３１、出水口３２、開口３８、導水管３９、仕切り板４１、排泡孔４２、摺動弁４３、仕切り板４１内部の第１の空間４４、仕切り板４１外部の第２の空間４５は第１の実施の形態と同様のものである。
【００７９】
異なるのは、流水経路５１を形成する容器３１と仕切り板４１の隙間Ａを、仕切り板４１の全周にわたりほぼ均等に設けた点である。また、排泡孔４２を上側から塞ぎ、摺動部が排泡孔４２に貫通し、下端に係止部を備えた摺動弁４３を備えている。
【００８０】
上記構成における作用を説明する。仕切り板４１内部の水が沸騰後、遠心ポンプ１６を動作させると、第１の空間４４内の湯は導水管３９上部の開口３８から取り出され、本体外部に給湯される。給湯した量だけ仕切り板４１の下端側の流水経路５１を通り第２の空間４５内の低温の水が第１の空間４４内に供給されるが、第１の空間４４内の高温の湯とは温度差による比重差からすぐには混ざり合わない。そして、第２の空間４５内に導かれた低温の水は容器３１の底側から徐々に盛り上がり、仕切り板４１の上部壁面に近づいていく。このときに、流水経路５１を形成する隙間Ａが仕切り板４１の全周にわたり均一であるので、第１の空間４４内には仕切り板４１の全周から均等に水が導かれ、低温の水の層は容器３１の底から全周が均一な早さで盛り上がり、ほぼ水平に導水管３９の開口３８に近づく。このため、仕切り板４１内部の第１の空間４４から、開口３８に低温の水層が達するまでに効率よく高温の湯を取り出すことができるので、仕切り板内部から供給される高温の湯量を増すことができる。また、仕切り板４１の頂上部には排泡口３７が設けられているが、常時は摺動弁４３で塞がれ、仕切り板４１内の第１の空間４４の水が高温になって発生する気泡が摺動弁４３の下に溜り、気泡の浮勢力で摺動弁４３が上方に動作し、気泡が抜けると摺動弁４３は自重で閉じる。こうして排泡孔４２は通常閉じていることが多く、第１の空間４４内から第２の空間４５内へ逃げる熱量が低減され、仕切り板内部から供給される湯温を高めることができる。
【００８１】
（実施の形態３）
本発明の第３の実施の形態について、図３に基づいて説明する。フランジ２、加熱手段を構成するヒータ３、上枠４、保持部５、パッキン６、ヒンジ７、本体８、蓋９、ピン１０、貫通穴１２、蒸気抜き穴１４、シールパッキン１５、送水装置を構成する遠心ポンプ１６、送水管１７、ロック部材１８、ばね１９、操作つまみ２０、係止部２１、接続部２２、温度検知素子２３、制御回路２４、操作部２５は従来例と同一の形状と機能である。
【００８２】
異なるのは、容器６１の出水孔６２を容器６１底面の外周付近に設け、上端部を開口６３とした導水管６４の略直上を仕切り板６５の頂上部として排泡孔６６を配したもので、排泡孔６６には仕切り板６５内の第１の空間６７の水が沸点近くになると発生する気泡の浮勢力で開き、気泡が仕切り板６５外の第２の空間に抜けると閉じる摺動弁６９を設けた点である。７０は流水経路である。
【００８３】
このように構成すると、出水口６２の直下付近は制御回路２４を避け、送水管１７にも近く、遠心ポンプ１６の配置には適切な位置であり、加えて、出水口６２と遠心ポンプ１６との送水経路を最短にできるので、出水口６２と遠心ポンプ１６との間に圧力低下が生じにくく、第１の空間６７内の湯温が１００°Ｃに近い９８〜９９°Ｃ程度の高温であっても、圧力低下で沸点が下がって生じるキャビテーションが生じにくいものである。このため、遠心ポンプ１６の性能低下を防ぎ、湯を吐出され易くするものである。
【００８４】
（実施の形態４）
本発明の第４の実施の形態について、図４に基づいて説明する。フランジ２、加熱手段を構成するヒータ３、上枠４、保持部５、パッキン６、ヒンジ７、本体８、蓋９、ピン１０、貫通穴１２、蒸気抜き穴１４、シールパッキン１５、送水装置を構成する遠心ポンプ１６、送水管１７、ロック部材１８、ばね１９、操作つまみ２０、係止部２１、接続部２２、温度検知素子２３、制御回路２４、操作部２５は従来例と同一の形状と機能である。また、容器６１の出水孔６２を容器６１底面の外周付近に設け、開口６３を有する導水管６４を設けた点は第３の実施の形態と同様である。
【００８５】
異なるのは、導水管６４上端部の略直上を頂上部として排泡孔７１を配した仕切り板７２の下端と容器底面との間の流水経路７３であるすきまを、出水孔６２の反対側に設けたものである。
【００８６】
このように構成すると、出湯孔６２と遠心ポンプ１６の経路が短いので遠心ポンプでの圧力低下が小さくなり、湯を吐出し易くできる。さらに、仕切り板７２内の第１の空間７４において導水管６４の開口６３が前上部に偏った位置にあるので、導水管６４直下の出水孔６２と反対側に流水経路７３を設けると、第１の空間７４内の湯が導水管６４側に押し出されやすくなり、第１の空間７４内の湯を有効に引き出し、供給する高温の湯量を増すことができる。
【００８７】
（実施の形態５）
本発明の第５の実施の形態について、図５に基づいて説明する。フランジ２、加熱手段を構成するヒータ３、上枠４、保持部５、パッキン６、ヒンジ７、本体８、蓋９、ピン１０、貫通穴１２、蒸気抜き穴１４、シールパッキン１５、送水装置を構成する遠心ポンプ１６、送水管１７、ロック部材１８、ばね１９、操作つまみ２０、係止部２１、接続部２２、温度検知素子２３、制御回路２４、操作部２５は従来例と同一の形状と機能である。
【００８８】
異なるのは、容器８１の中央部の出水口８２と、容器８１の底面との間に流水経路８３となる隙間を保ち、外周部がヒータ３を囲み込むように容器８１の内径に近接する程度の大きさとして設けた碗状の仕切り板８４と、仕切り板８４内部の第１の空間８５と仕切り板８４外部の第２の空間８６と、仕切り板８４頂上部の排泡孔８７と、常時は排泡孔８７を閉じる摺動弁８８と、出水孔８２から上向きに延長され上端付近が開口８９となった導水管９０を備て、導水管９０下端部に出水孔８２に通じる補助孔９１を設けた点である。
【００８９】
このように構成すると、導水管９０の上端の開口８９から容器８１の出水孔８２に至る主水路に加え、導水管９０下端付近の補助孔９１から出水孔８２に通じる第２の経路が補水路として構成される。容器８１内の定格容量に近い湯を取り出す際、補助孔９１がない場合は容器８１内の湯は水面が導水管９０上端の開口８９下端Ｈ１より低くなると取り出せないが、補助孔９１を導水管９０下端部に設けることで、水面が補助孔９１下端のＨ２になるまで湯を取り出すことができ、遠心ポンプ１６で出湯後の容器８１内の残湯量を低減することができる。
【００９０】
（実施の形態６）
本発明の第６の実施の形態について、図６に基づいて説明する。第６の実施の形態は、第５の実施の形態の仕切り板８４に代えて、仕切り板１０１をステンレス製の内板１０２と外板１０３から成り、内板１０２と外板１０３をそれぞれ両端部で全周を溶接密閉し、仕切り板１０１の中央が空気層１０４となった２重構成としたものである。空気層１０４が断熱層になるので仕切り板１０１の断熱性が高まり、仕切り板１０１を介して外部へ逃げる熱量が減少して仕切り板１０１内部の水温上昇が早くなり、仕切り板１０１内を湯沸かし後は断熱効果により湯温が低下しにくいので、供給する湯温が高くなる。ひいては消費電力量を低減できる。なお、内板１０２と外板１０３の接合を溶接としたがこれに限るものでなく、ろう付けなどほかの方法でも良い。
【００９１】
（実施の形態７）
本発明の第７の実施の形態について、図７に基づいて説明する。第７の実施の形態は、第５の実施の形態の仕切り板８４に代えて、仕切り板１１１をステンレス製の内板１１２と外板１１３から成り、内板１１２と外板１１３をそれぞれ両端部で溶融密閉し、仕切り板１１１の中央が中空層１１４となった２重構成としたものである。中空層１１４は１０から３０°Ｃの常温で０．７５から０．９５気圧とし大気圧より若干低い程度としている。この結果、中空層１１４が常温で大気圧のものが１００°Ｃでは１．３気圧程度に上昇して内圧が生じ、仕切り板１１１にストレスが生じて仕切り板１１１が変形したり、溶接部に応力が生じるなどの不具合があるが、常温での仕切り板１１１内圧を０．７５から０．９５気圧とすれば、湯沸かし沸騰で中空層の圧力が上昇を１気圧を挟んで上下することになり、仕切り板１１１の断熱性を中空層１１４があることで高めつつ、中空層１１４の膨張によって仕切り板に生じる応力を低減することをができる。
【００９２】
（実施の形態８）
本発明の第８の実施の形態について、図８に基づいて説明する。第８の実施の形態は、第５の実施の形態の仕切り板８４に代えて、仕切り板１２１をステンレス製の内板１２２と外板１２３から成り、内板１２２と外板１２３をそれぞれ両端部で溶融密閉し、仕切り板１２１の内部が中空層１２４となった２重構成としたものである。中空層１２４は１万分の１ｔｏｒｒ以下の真空としている。この程度の真空度は真空魔法瓶と同程度であり、これにより仕切り板１２１の断熱性を大幅に高めて電気湯沸し器本体の消費電力量を低減すると同時に、中空層１２４は空気が低密度なので空気の熱膨張がほとんど無く、膨張による内圧で仕切り板１２１に生じる応力を大幅に低減することをができ、仕切り板１２１の耐久性を高めることができる。
【００９３】
（実施の形態９）
本発明の第９の実施の形態について、図９に基づいて説明する。第９の実施の形態は、例えば第６の実施の形態から第８の実施の形態において、仕切り板１３１の排泡孔１３２を上側から塞ぎ、摺動部が排泡孔１３２に貫通し、下端に係止部を備えた摺動弁１３３を備えている。摺動弁１３３は常時は閉じており、排泡孔１３２の開口面積に対する摺動弁１３３の重量である動作力を１平方センチメートル当たり２から５グラムにしている。こうすると仕切り板１３１内部の水が沸騰した場合の比重低下で生じる押し上げ力では動作せず、水が沸騰した時発生する気泡が摺動弁１３３の動作力に勝つまで排出されないので、常時摺動弁１３３が開くことなく、排泡孔１３２から仕切り板１３１外部への熱水漏れを低減する。また、摺動弁１３３の動作力を大きくすると、仕切り板１３１内に多量の気泡が溜まると摺動弁１３３は動作するが、仕切り板１３１内の容積を占めていた気泡が一気に外に出ると、仕切り板１３１内に外部の水が供給され、仕切り板１３１内の湯温が低下する。これに対し、１平方センチメートル当たり５グラムの場合であれば、仕切り板１３１内の気泡排出時の湯温低下を５゜Ｃ程度で実用に差し支えない程度である。こうして、仕切り板１３１の内側で発生した気泡を効果的に排出し、気泡排出時に仕切り板外の水が仕切り板内に侵入しにくくし、仕切り板内の湯を高温に維持することができる。
【００９４】
（実施の形態１０）
本発明の第１０の実施の形態を図１０により説明する。図１０において、２１１は容器で、その底部にヒータ２１２を内蔵している。２１３は容器２１１内を仕切る椀形の仕切り板で、容器２１１の底部に、かつ、ヒータ２１２を覆うように備えられている。２１４は弁で、仕切り板２１３の最高位置に取付けられている。仕切り板２１３のヒータ側には取湯口（出水孔）２１５があり、容器２１１に設けられている。２１６は導水管、２１７はポンプ、２１８は吐出口で、導水経路を構成している。２１９はサーミスタ等のセンサで、仕切り板２１３のヒータ側の水温を検知している。２２０は容器２１１等の内蔵部品を収容する外装体である。２２１は蓋で、外装体２２０に回動自在に取付けられており、蓋２２１には蒸気口２２２が形成されている。当然のことながら、導水経路等については水密が保持されている。仕切り板２１３のヒータ側で湯ができて、出湯可能になり、実際にポンプ２１７を駆動して出湯するときは、基本的には出湯中ヒータ２１２は通電しないようにする。これはヒータ通電のため発生する気泡を巻込むことによる流量低下を防止するためである。当然、出湯後は仕切り板２１３のヒータ側に冷水が入ってくるので、再び湯ができるまで待つ必要がある。
【００９５】
ところで、仕切り板２１３と弁２１４は比重１以上が必要条件であり、仕切り板２１３は給水時や仕切り板２１３のヒータ側、反ヒータ側の水の沸騰時等、浮上がらない十分な負の浮力をもつように比重と体積（肉厚）で調整しなければならない。弁２１４は軽過ぎると仕切り板２１３のヒータ側の温水が逃げ易くなり、加熱効率が低下する。逆に重過ぎると、弁２１４が開いたときの仕切り板２１３のヒータ側の温度低下が大きくなったり、仕切り板２１３のヒータ側に気泡が溜まり過ぎて仕切り板２１３が浮易くなる。したがって、弁２１４は気泡がある一定量溜まるまでは開かず、逆に、気泡がある一定量以上溜まったり、沸騰状態のとき、開いて気泡を逃がすような適度な負の浮力をもつように調整しなければならない。
【００９６】
上記構成により、仕切り板２１３のヒータ側の気泡がある一定量溜まるまでは弁２１４は開かず、常に閉じているので加熱効率は落ちず、良好で、また逆に、気泡がある一定量以上溜まったり、沸騰状態のとき、弁２１４が開き気泡を逃がすので仕切り板２１３を浮かすことがなく、一気に温水が冷えない。したがって、加熱効率が良好で安定した早沸しを行うことができる。
【００９７】
なお、図１０の構成において、取湯口２１５の位置については容器２１１の底部中央に、高さについてはできるだけ高い方が効率よく高い温度の湯を取込むことができ、仕切り板２１３のヒータ側の実加熱容積以下のある一定量出湯したときの温度低下を抑制することができる。また、高さについては高い方が硬水の場合に発生する水垢のポンプへの吸込みも起こりにくい。
【００９８】
さらに弁２１４について付け加えるなら、負の浮力やストローク、開口面積（π／４）Ｄ2 を図１１に示すように適度に調整することにより、仕切り板２１３のヒータ側の飽和温度は約１００度だけでなく、ある一定温度にすることもできる。
【００９９】
（実施の形態１１）
本発明の第１１の実施の形態を図１２（ａ）、（ｂ）、（ｃ）により説明する。図１２（ａ）、（ｂ）において、２２３は活性炭で、２２４は活性炭２２３を収容するケースで、フレーム２２５とメッシュ２２６で構成されており、爪２２７が設けられている。仕切り板２１３には取付け穴２２８を設け、ケース２２４の爪２２７とかん合自在になっている。この場合、ヒータ２１２との間に気泡が溜まり、空気層ができて空焼きにならないように十分隙間を設け、気泡が溜まりにくい構成にする必要がある。
【０１００】
上記構成により、活性炭２２３による触媒作用により、塩素除去等の浄水性能を向上させることができる。
【０１０１】
なお、図１２（ｃ）のような構成にしてもよく、この場合、２２９は活性炭で、２３０は活性炭２２９を収容するケースで、ベース２３１とメッシュ２３２で構成されており、ケース２３０を取湯口２１５に取付ければよい。
【０１０２】
その他は第１０の実施の形態と同様である。
【０１０３】
（実施の形態１２）
次に本発明の第１２の実施の形態を図１３（ａ）、（ｂ）により説明する。図１３（ａ）、（ｂ）において、２３３は凸部で容器２１１の内側面に形成されている。仕切り板２１３には凸部２３３と係合可能な環状リブ２３４が設けてあり、一箇所凹部２３５が形成されている。仕切り板２１３のセットは次のように行う。凹部２３５と凸部２３３の位置を揃えて仕切り板２１３を容器２１１の底部に置き、仕切り板２１３を回転させる。
【０１０４】
上記構成により、蓋２２１を開けて、容器２１１内の水を捨てたりするときに、仕切り板２１３が脱落することを防止することができる。
【０１０５】
なお、容器２１１に凸部２３３を形成しなくても、凸部２３３に替わる配管等の突出部があればそれを利用してもよい。
【０１０６】
その他は第１０の実施の形態と同様である。
【０１０７】
（実施の形態１３）
本発明の第１３の実施の形態を図１４により説明する。図１４において、２３６は磁石で、仕切り板２１３に取付けられており、仕切り板２１３を容器２１１にセットしたとき、容器２１１と磁力で結合する。この場合、当然容器２１１は磁性を有しており、たとえば、フェライト系ステンレス鋼等でなければならない。
【０１０８】
上記構成により、蓋２２１を開けて、容器２１１内の水を捨てたりするときに、仕切り板２１３が脱落することを防止することができる。また、容器２１１と磁力で結合しているので、仕切り板２１３の比重を必ずしも１以上にする必要はなく、さらに浮上がらない十分な負の浮力にする必要もなくなるので、体積（肉厚）を小さくすることができ、軽量化できる。場合によっては、コストダウンも可能になる。
【０１０９】
その他は第１０の実施の形態と同様である。
【０１１０】
（実施の形態１４）
次に本発明の第１４の実施の形態を説明する。本発明は仕切り板２１３を樹脂製としたものである。この場合、耐熱水性の優れた樹脂である必要があり、たとえば、フィラー／ガラス強化したポリフェニレンサルファイド、ポリサルフォン、ポリエーテルスルフォン、シンジオタクチックポリスチレン等が挙げられる。また、比重という観点からは比重の比較的大きいポリフェニレンサルファイドが有利である。さらに、樹脂製であるため、断熱性は非常によい。
【０１１１】
上記のように、仕切り板２１３を断熱性の高い樹脂としたことで、仕切り板２１３の反ヒータ側への放熱が少なく、加熱効率を高めることができる。また、樹脂製であるために、自由度の高い形状に成形することができ、比較的安価である。
【０１１２】
その他は、第１０の実施の形態と同様である。
【０１１３】
（実施の形態１５）
本発明の第１５の実施の形態を説明する。本発明は仕切り板２１３を金属製としたものである。この場合、耐食性の優れた金属である必要があり、たとえば、ステンレス鋼、チタン合金等が挙げられるが、断熱性、コストという観点を含め、総合的にはＳＵＳ３０４系のステンレス鋼が有利である。
【０１１４】
上記のように、仕切り板２１３を強靱な金属としたことで、落下時等の欠け、割れがなく、頑丈である。また、汚れも取れ易く衛生的である。プレス成形にすれば、比較的安価である。
【０１１５】
その他は、第１０の実施の形態と同様である。
【０１１６】
（実施の形態１６）
本発明の第１６の実施の形態を説明する。本発明は仕切り板２１３をセラミック（陶磁器、硝子）製としたものである。この場合、断熱性については概ね樹脂と金属の中間にある。
【０１１７】
上記のように、仕切り板２１３をセラミック（陶磁器、硝子）製としたことで、化学的に安定で、腐食の恐れはほとんどない。
【０１１８】
その他は、第１０の実施の形態と同様である。
【０１１９】
（実施の形態１７）
本発明の第１７の実施の形態を図１５により説明する。図１５において、２３７は仕切り板の二重構造部で、水を浸入させて断熱層を形成している。二重構造部２３７にはわずかに水が循環でき、完全に水が澱んでしまうのを防止する穴２３８が数箇所設けてある。
【０１２０】
上記構成により、よい断熱性が得られ、加熱効率を向上させることができる。
【０１２１】
その他は、第１０の実施の形態と同様である。
【０１２２】
（実施の形態１８）
本発明の第１８の実施の形態を図１６により説明する。図１６において、２３９は突起で、仕切り板２１３の底に数箇所設け、容器２１１と一定の隙間を形成している。
【０１２３】
上記構成により、仕切り板２１３への水の供給を容易に、しかも安定させることができる。特に、仕切り板２１３のヒータ側の水を加熱中、気泡が溜まると弁２１４が開き、仕切り板２１３の底から水が供給されるが、そのとき仕切り板２１３のヒータ側の水温変化を低減するのに効果があり、その結果、センサ２１９のセンシングに好都合である。これは、隙間がなければ冷水が急激に仕切り板２１３のヒータ側に供給され、水温変化が大きくなり易いが、一定の隙間があるために冷水が比較的遅い流速で仕切り板２１３のヒータ側に供給され、水温変化が小さくなることによる。なお、図３の場合、センシングという観点からは、冷たい水流が温度検知素子２３の上を直接かすめることがないように配慮する方が温度検知素子２３の温度変化が急激にならず、センシングに好都合である。端的には摺動弁６９または導水管６４と温度検知素子２３と流水経路７０（隙間）は同一線上にない方がよい。また、より高温の湯を一定量出湯したい場合、導水管６４の近傍には流水経路７０（隙間）を形成しない方がよい。そうすることにより、仕切り板６５の反ヒータ側の冷たい水を引込みにくくなる。
【０１２４】
その他は、第１０の実施の形態と同様である。
【０１２５】
（実施の形態１９）
本発明の第１９の実施の形態を図１７により説明する。図１７において、２４０は突起で、仕切り板２１３の外周に数箇所設けてある。
【０１２６】
上記構成により、仕切り板２１３と容器２１１とのガタを防止し、ヒータ２１２と仕切り板２１３のヒータ側の形状の関係を一定に保ち、対流の変化を最小限に抑え、安定した早沸しを行うことができる。
【０１２７】
その他は、第１０の実施の形態と同様である。
【０１２８】
（実施の形態２０）
本発明の第２０の実施の形態を図１８（ａ）、（ｂ）により説明する。図１８（ａ）において、２４１は仕切り板２１３の反ヒータ側の水温を検知するためのサーミスタ等のセンサで、容器２１１の外側面に設けてある。この場合、十分に仕切り板２１３の反ヒータ側の水温を反映できるように、仕切り板２１３の外周とセンサ２４１直内の容器２１１の間には一定の距離をあける必要がある。
【０１２９】
上記構成により、仕切り板２１３の反ヒータ側の水温を確実に検知することができる。
【０１３０】
なお、図１８（ｂ）のように、センサ２４１の取付けは容器２１１の外側面でなく、外底面でもよい。この場合、仕切り板２１３による分割加熱は容器２１１の外底面を外して行うようにする必要がある。この場合、十分に仕切り板２１３の反ヒータ側の水温を反映できるように、また、仕切り板２１３の底部隙間から漏れた湯の影響を受けないように、仕切り板２１３の外周とセンサ２４１直内の容器２１１の間には一定の距離をあける必要がある。なお、実施の形態１８のように隙間を設ける場合は、（ａ）、（ｂ）どちらの実施例であっても、センサ２４１の近傍には隙間を形成せず、隙間から漏れる湯の温度の影響を受けないようにするのが原則で、そうすることにより、センサ２４１の温度変化が急激にならず、センシングに好都合である。
【０１３１】
その他は、第１０の実施の形態と同様である。
【０１３２】
（実施の形態２１）
本発明の第２１の実施の形態を説明する。基本的な構成は第２０の実施の形態と同様であり、仕切り板２１３の反ヒータ側の水温が沸点に到達することなく、かつ、所定の水温以下になるようにしたものである。
【０１３３】
ここで、仕切り板２１３の反ヒータ側の水温と製品性能の関係について説明する。図１９は仕切り板２１３の反ヒータ側の水温と毎秒当たりの出湯量の関係を表したものである。出湯直前の仕切り板２１３のヒータ側の水温は常に約１００℃である。使用したポンプはローリング式ダイヤフラムポンプである。図１９のように、仕切り板２１３の反ヒータ側の水温がＴ１になると出湯量が低下し始める屈曲点が現れる。出湯量の低下の原因は次のように考えられる。出湯し始めるとヒータ２１２は非通電になるが、仕切り板２１３の反ヒータ側の水温が低いときはヒータ２１２の余熱による気泡の発生が直ぐになくなり、気泡の巻込みによる流量低下の影響は少ない。また、反ヒータ側の水温が低いと、ポンプにより引き込む湯温が早期に低下し、キャビテーションの発生しない臨界温度に達するため、キャビテーションによる流量低下の影響も少ない。しかし、仕切り板２１３の反ヒータ側の水温が高くなると、ヒータ２１２の余熱による気泡が出湯中も発生し続け、気泡の巻込みによる流量低下やキャビテーションによる流量低下が起こる。実験的にはＴ１は８５〜９５℃である。
【０１３４】
上記のように、仕切り板２１３の反ヒータ側の水温が沸点に到達することなく、かつ、所定の水温以下になるようにしたことで、出湯量の低下を防止することができる。これを解決する方法として、仕切り板２１３の反ヒータ側の水温がＴ１かＴ１よりある程度低い水温になったときに、余熱の少ない加熱の方法、すなわち、消費電力の小さいヒータに切替えるとか、ヒータをＯＮ−ＯＦＦさせるなどの方法がある。
【０１３５】
ところで、仕切り板２１３の反ヒータ側の水を沸騰させた場合の現象について説明する。仕切り板２１３なしで通常に沸騰させた場合に比較して、仕切り板２１３ありで沸騰させると、通常沸騰時に発生する気泡のエネルギーだけでなく、仕切り板２１３のヒータ側で発生した気泡が弁２１４を開けて連続的に出ることによるエネルギーが加わり、湯の動きが非常に大きくなる。
【０１３６】
しかし、仕切り板２１３の反ヒータ側の水が沸点に到達しないようにすれば、上記のような現象が生じず容器２１１内の湯上面を安定させることもできる。
【０１３７】
（実施の形態２２）
次に本発明の第２２の実施の形態を説明する。基本的な構成は第２０の実施の形態と同様であり、仕切り板２１３の反ヒータ側の水が沸点に到達することなく、かつ、所定の水温以下で仕切り板２１３のヒータ側の湯の取出し中も加熱を継続するようにしたものである。
【０１３８】
第２１の実施の形態では仕切り板２１３の反ヒータ側の水温が低いときは気泡の巻込みやキャビテーションによる流量低下の影響は少ないと説明したが、本発明は仕切り板２１３の反ヒータ側の水温が低く、気泡の巻込みやキャビテーションが起こりにくいときは出湯中も加熱を積極的に行い、出湯後もできるだけ早く次の出湯ができるようにすることが目的である。ここで、仕切り板２１３の反ヒータ側の水温と製品性能の関係について説明する。図２０は仕切り板２１３の反ヒータ側の水温と毎秒当たりの出湯量の関係を表したものである。第２１の実施の形態と同じく出湯直前の仕切り板２１３のヒータ側の水温は常に約１００℃であり、使用したポンプはローリング式ダイヤフラムポンプである。図２０のように、仕切り板２１３の反ヒータ側の水温がＴ２になると出湯量が低下し始める屈曲点が現れる。したがって、仕切り板２１３の反ヒータ側の水温がＴ２になるまで、出湯中も加熱を継続することができる。当然、出湯中加熱なしの屈曲点Ｔ１に比較し、Ｔ２は低い温度となる。実験的にはＴ２は５０〜６０℃である。
【０１３９】
上記のように、仕切り板２１３の反ヒータ側の水温が沸点に到達することなく、かつ、所定の水温以下で仕切り板２１３のヒータ側の湯の取出し中も加熱を継続するようにしたことで、出湯後の次の出湯を早く行うことができる。また、容器２１１内全体の湯沸かしも早く行うことができる。
【０１４０】
（実施の形態２３）
本発明の第２３の実施の形態を図２１により説明する。図２１において、２４２は弁、２４３は支持部Ａ、２４４はバイアスばねで、バイアスばね２４４は支持部Ａ２４３の上方に取付けられ、弁２４２を上方に付勢しており、支持部Ａ２４３は仕切り板２１３に固定されている。２４５は支持部Ｂで、弁と一体となった軸２４６に取付けられている。２４７は形状記憶合金でできた温度可変部で、支持部Ａ２４３、支持部Ｂ２４５の間に取付けられている。上記構成により、温度可変部２４７がある一定水温を越えると、バイアスばね２４４が弁２４２を付勢する力より、温度可変部２４７が弁２４２を下方に下げようとする力の方が勝るようになり、弁２４２は開く。逆に、温度可変部２４７がある一定水温以下になると、弁２４２は閉じる。
【０１４１】
ところで、今までの実施の形態では仕切り板２１３のヒータ側の水は沸騰させることを前提としたが、使用状況によっては、沸騰した水では温度が高過ぎるという場合がある。たとえば、コーヒー等を抽出する場合などがそうであり、また、できるだけ一定水温にすることが望ましい。したがって、仕切り板２１３のヒータ側の水を沸騰させず、一定の水温で止めるようにヒータ２１２のＯＮ−ＯＦＦ制御をする必要が生じる。たとえば、一定の水温を９０℃とした場合、９０℃を越えるとヒータ２１２の通電が止まるものとする。しかし、仕切り板２１３の断熱性が高ければ、仕切り板２１３のヒータ側の水温はヒータ２１２が再び通電する水温まで容易に下がらず、ヒータ２１２の通電間隔が極端に伸び、仕切り板２１３の反ヒータ側の水の加熱がほとんど行われなくなるという課題が発生する。
【０１４２】
ここで、本構成による弁２４２の動作について説明する。たとえば、一定の水温を９０℃とした場合、９０℃を越えるとヒータ２１２の通電は止まる。一方、弁２４２をたとえば９０℃で開くように設定しておけば、仕切り板２１３のヒータ側の水温が下がり、ヒータ２１２は再通電され、弁２４２は閉じる。
【０１４３】
上記構成により、ヒータ２１２のＯＮ−ＯＦＦ制御と弁２４２の開閉の繰返しで、仕切り板２１３のヒータ側の水温を一定に保ちつつ、仕切り板２１３の反ヒータ側の水の加熱も行うことができる。
【０１４４】
その他は、第１０の実施の形態と同様である。
【０１４５】
（実施の形態２４）
次に本発明の第２４の実施の形態を図２２により説明する。図２２において、２４８は内ヒータで、容器２１１の底部に内蔵されている。２４９は外ヒータで、容器２１１の外側面に設けられている。２５０は内センサ、２５１は外センサでそれぞれ仕切り板２１３のヒータ側、反ヒータ側の水温を検知している。
【０１４６】
本構成の目的は第２３の実施の形態と同じく、仕切り板２１３のヒータ側の水温を一定にしつつ、仕切り板２１３の反ヒータ側の水を加熱することである。ここで、本構成の動作について説明する。まず、仕切り板２１３のヒータ側の水を内ヒータ２４８で加熱する。仕切り板２１３のヒータ側の水が所定の水温になったのを内センサ２５０が検知し、内ヒータ２４８の通電を止める。次に、外ヒータ２４９への通電を開始し、仕切り板２１３の反ヒータ側の水を加熱する。もし、その途中で出湯があり、仕切り板２１３のヒータ側の水が冷えたなら、再び、内ヒータ２４８への通電を開始し、同時に外ヒータ２４９への通電を止める。このような動作を容器２１１内全体の水が一定温度になるまで繰返す。
【０１４７】
上記構成により、仕切り板２１３のヒータ側の水温を一定に保ちつつ、仕切り板２１３の反ヒータ側の水の加熱も行うことができる。
【０１４８】
なお、消費電力が高くなるが、内ヒータ２４８、外ヒータ２４９を同時に通電しても構わない。
【０１４９】
その他は、第１０の実施の形態と同様である。
【０１５０】
（実施の形態２５）
本発明の第２５の実施の形態について図２３および図２４により説明する。図２３において、３０１は水等の液体３０２を入れる容器で、容器３０１の底面にはヒータ３０３が取り付けられている。容器３０１の底部には水より比重の重い材質、例えばＰＰＳ樹脂等で作られた略密閉空間を形成する仕切り板３０４が設置されている。仕切り板３０４上部には沸騰により発生する気泡を上方へ排出する為の逆止弁３０５が設けられている。この逆止弁３０５も仕切り板３０４と同様に水より比重の重いＰＰＳ樹脂等で作られている。仕切り板３０４の底面と容器３０１底面の接触部には０．１〜２ｍｍ位の隙間３０６を設けて仕切り板３０４内の水が沸騰により逆止弁３０５より抜けた時、水３０２が仕切り板３０４内に循環するようにしている。この隙間３０６は仕切り板３０４の底面に数ヶ所の凸部を設けて形成している。３０７は仕切り板３０４内の水温を検出するサーミスタＡで、３０８は仕切り板３０４外の水温を検出するサーミスタＢである。３１０は湯を吐出する液体ポンプで、仕切り板３０４の内部空間に連通し、容器３０１の底部より上方に突き出た吸水パイプ３１１に接続され、出水パイプ３１２より外部に湯を吐出する。３１３は吸水パイプ３１１を容器３０１の底面と共に覆うステンレス製メッシュのフィルタである。３１４は容器３０１を収納する本体で、上部には容器３０１に水を入れる際に開閉する蓋３１５を設け、蓋３１５には蒸気を外部へ排出する蒸気口３１６が開いている。
【０１５１】
この第２５の実施の形態の場合、容器３０１底部の水は仕切り板３０４により略密閉されているため、ヒータ３０３の熱を集中して受け、急速に昇温することができる。第２５の実施の形態では約２５０ｍｌの水を沸騰させるのに必要な時間は約２分であった。この時、サーミスタＡ３０７で仕切り板３０４内の水温を検知し、本体の表示部（図示せず）により湯沸かし完了を表示し、液体ポンプ３１０により出水を行うと、急速に熱水を吐出することができる。また、更に加熱を続けていくと、仕切り板３０４内の水が激しく沸騰し、気泡が発生する。この気泡は逆止弁５を浮かせ、仕切り板３０４外へと気泡を排出させるが、この時に熱水も同時に逆止弁３０５から抜け、水３０２全体を加熱、昇温させる。
【０１５２】
逆止弁３０５の動作は図２４（ａ）に示すように気泡が発生していない時には仕切り板３０４に天板３２１が密着して熱を閉じこめるが、沸騰状態まで加熱すると（ｂ）に示すように気泡が逆止弁３０５を上へ持ち上げるが、逆止弁３０５の側壁ａ３２２と側壁ｂ３２３はお互い独立して天板３２１に構成されているので側壁ａ３２２と側壁ｂ３２３の間より気泡が抜け、気泡を上方から逃がす。この時、逆止弁３０５の側壁ａ３２２と側壁ｂ３２３が仕切り板３０４の内側に引っかかり、仕切り板３０４から抜けることはない。
【０１５３】
図２３に戻り、加熱された水３０２は容器３０１の底面と仕切り板３０４の底面の間に形成した隙間３０６より再び仕切り板３０４内に入り、循環加熱される。また、サーミスタＢ３０８で検出する温度でヒータ３０３を制御することにより容器３０１内全体の温度を所定の温度に保つことができる。
【０１５４】
また、湯の吐出は仕切り板３０４内部空間に連通した液体ポンプ３１０で行うため、高温の水を少量必要とする場合には、短時間で熱水を供給することができる。
【０１５５】
また、ヒータ３０３は大出力の主ヒータと小出力の補助ヒータが入っており（図示せず）、主ヒータで所定の温度まで昇温した後は補助ヒータに切り替わり、ヒステリシスを小さくして温度制御を精密に行うことができる。
【０１５６】
また、水３０２を沸騰させる場合には、主ヒータで通電させると気泡が仕切り板３０４上部より集中して噴き上がり、沸騰の勢いが強くなるため、万一沸騰中に蓋３１５を開けると湯が噴き出す危険があるため、沸騰近くの温度になると主ヒータを間欠運転させて沸騰の勢いを弱める制御を行っているので湯の噴き出しはない。
【０１５７】
また、沸騰近くの温度になると主ヒータから補助ヒータに切り替える制御を行っても沸騰の勢いを弱めることができ、上記と同様の効果を達成することができる。
【０１５８】
また、水中にはカルシウム、珪素、マグネシウム等が含まれており、湯を沸かすことによってこれらが仕切り板３０４内で析出し、スケールとなって仕切り板３０４内で堆積するが、ヒータ３０３を通電し、沸騰中に液体ポンプを運転すると、沸騰の勢いで堆積したスケールが仕切り板３０４内で舞い上がり、液体ポンプ３１０の吸い込み口である吸水パイプ３１１に入りやすくなるので沸点近くで液体ポンプ３１０を運転する際にはヒータ３０３の通電を停止させる制御を行い、スケールの舞上がりをなくし、液体ポンプ３１０へのスケール吸い込みを抑え、液体ポンプ３１０へのスケールの目話まりを抑えることができる。
【０１５９】
また、吸水パイプ３１１は仕切り板３０４の上部にできるだけ接近させている。
【０１６０】
これにより、温度の高い水ほど比重が小さく、仕切り板３０４内の上部に滞留するため、少しでも高い温度の水を吐出することができる。
【０１６１】
また、吸水パイプ３１１はフィルタ３１３で覆われているため、仕切り板３０４内で析出したスケールを液体ポンプ３１０内へ吸引されることを更に低減することができる。
【０１６２】
なお、上記の各実施の形態の相互間で可能な場合には組合せてもよい。
【０１６３】
また、上記の実施の形態において、仕切り板により仕切られる急速加熱側の容積は昇温の待ち時間の短縮という本発明の目的とカップ麺等での使用湯量から約１０００ｍｌ以下が好ましい。
【０１６４】
【発明の効果】
請求項１記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
容器の出水孔を容器底面の外周付近に設け、導水管上端部の略直上を仕切り板の頂上部としたため、遠心ポンプ等の送水装置から湯が吐出され易くすることができる。
【０１６５】
請求項２記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
また容器の出水孔を容器底面の外周付近に設け、導水管上端部の略直上を仕切り板の頂上部とし、流水経路を出水孔と反対側に設けたため、遠心ポンプ等の送水装置から湯が吐出され易くしつつ、供給する高温の湯量を増すことができる。
【０１６６】
請求項３記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
また導水管の上端付近の開口と容器の出水孔との経路を主水路とし、導水管下端付近に容器の出水孔に通じる第２の経路を設けて補水路としたため、遠心ポンプ等の送水装置による出湯後、容器内の残湯量を低減し容器内の湯を有効に使用することができる。
【０１６７】
請求項４記載の電気湯沸し器によれば、容器内に定格水量を入れ湯沸かしを開始した際、容器内の水は仕切り板により２つの部屋に分けられ、加熱手段を覆う仕切り板内部の水が仕切り板外の水よりも先に温度上昇し、沸騰する。遠心ポンプ等の送水装置を動作させると仕切り板内の湯が先に排出され、仕切り板内には下端部の流水経路を通して仕切り板下方から仕切り板外部の水が供給され、湯は導水管上部から順次排出される。このため、容器内に定格容量に近い多量の水が入っていても、仕切り板内の空間よりも少ない湯であれば短時間で高温にして供給される。また、８５°Ｃ程度の低温で保温時に再沸騰する場合も仕切り板内の湯が先に沸騰するので、同様に、仕切り板内の空間よりも少ない量の湯であれば短時間で高温にして供給され、使い勝手の良いものとできる。
仕切り板の内側で発生した気泡を効果的に排出し、気泡排出時に仕切り板外の水が仕切り板内に侵入しにくくし、仕切り板内の湯を高温に維持することができる。
【０１６８】
請求項５記載の電気湯沸し器によれば、請求項１、請求項３または請求項４と同様な効果のほか、仕切り板内部から供給される高温の湯量を増すことができる。
【０１６９】
請求項６記載の電気湯沸し器によれば、請求項１、請求項２、請求項３または請求項４と同様な効果のほか、仕切り板の断熱性を高くして、仕切り板内の水温上昇を早めかつ、供給する湯温を高くすることができる。
【０１７０】
請求項７記載の電気湯沸し器によれば、請求項１、請求項２、請求項３または請求項４と同様な効果のほか、仕切り板の断熱性を高めつつ、中空層の膨張によって仕切り板に生じる応力を低減することができる。
【０１７１】
請求項８記載の電気湯沸し器によれば、請求項１、請求項２、請求項３または請求項４と同様な効果のほか、仕切り板の断熱性を大幅に高めつつ、中空層の膨張によって仕切り板に生じる応力を大幅に低減することができる。
【０１７２】
請求項９記載の電気湯沸し器によれば、請求項１、請求項２、請求項３または請求項４と同様な効果がある。
【０１７３】
請求項１０記載の分割加熱器によれば、仕切り板のヒータ側の気泡がある一定量溜まるまでは弁は開かず、常に閉じているので加熱効率は落ちず、良好で、また逆に、気泡がある一定量以上溜まったり、沸騰状態のとき、弁が開き気泡を逃がすので仕切り板を浮かすことがなく、一気に温水が冷えない。したがって、加熱効率が良好で安定した早沸しを行うことができる。また仕切り板のヒータ側の液温の高低に応じて弁を開閉制御する温度可変部を設けたため、仕切り板のヒータ側の液温を一定に保ちつつ、仕切り板の反ヒータ側の液体の加熱も行うことができる。
【０１７４】
請求項１１記載の分割加熱器によれば、仕切り板のヒータ側の気泡がある一定量溜まるまでは弁は開かず、常に閉じているので加熱効率は落ちず、良好で、また逆に、気泡がある一定量以上溜まったり、沸騰状態のとき、弁が開き気泡を逃がすので仕切り板を浮かすことがなく、一気に温水が冷えない。したがって、加熱効率が良好で安定した早沸しを行うことができる。また仕切り板のヒータ側の液体を加熱する内ヒータ、反ヒータ側の液体を加熱する外ヒータを設けたため、仕切り板のヒータ側の液温を一定に保ちつつ、仕切り板の反ヒータ側の液体の加熱も行うことができる。
【０１７５】
請求項１２記載の分割加熱器によれば、請求項１０または請求項１１と同様な効果のほか、塩素除去等の浄水性能を向上させることができる。
【０１７６】
請求項１３記載の分割加熱器によれば、請求項１０または請求項１１と同様な効果のほか、例えば容器の内側面に凸部を形成し、仕切り板に凸部と係合可能な環状リブを設けたり、仕切り板に磁石を取付けたもので、容器内の水を捨てたりするときに、仕切り板が脱落することを防止することができる。
【０１７７】
請求項１４記載の分割加熱器によれば、請求項１０または請求項１１と同様な効果のほか、例えば仕切り板の底に突起を設けたもので、容器と一定の隙間を形成することにより、仕切り板への液体の供給を容易に、しかも安定させることができる。
【０１７８】
請求項１５記載の分割加熱器によれば、請求項１０または請求項１１と同様な効果のほか、仕切り板の反ヒータ側の液温を確実に検知することができる。
【０１７９】
請求項１６記載の分割加熱器によれば、請求項１０または請求項１１と同様な効果のほか、仕切り板の反ヒータ側の液温が沸点に到達することなく、所定の液温以下にすることができ、出湯量の低下を防止することができる。また、仕切り板の反ヒータ側の液温が沸点に到達しないようにすれば、蓋の蒸気口からの蒸気の噴出をおさえることもできる。
【０１８０】
請求項１７記載の分割加熱器によれば、請求項１６と同様な効果のほか、仕切り板の反ヒータ側の液温が沸点に到達することなく、かつ所定の液温以下で仕切り板のヒータ側の液体の取出し中も加熱を継続することにより、出湯後の次の出湯を早く行うことができる。また、容器内全体の湯沸かしも早く行うことができる。
【図面の簡単な説明】
【図１】本発明の第１の実施の形態を示す電気湯沸し器の断面図である。
【図２】本発明の第２の実施の形態を示す電気湯沸し器の断面図である。
【図３】本発明の第３の実施の形態を示す電気湯沸し器の断面図である。
【図４】本発明の第４の実施の形態を示す電気湯沸し器の断面図である。
【図５】本発明の第５の実施の形態を示す電気湯沸し器の断面図である。
【図６】本発明の第６の実施の形態を示す電気湯沸し器の断面図である。
【図７】本発明の第７の実施の形態を示す電気湯沸し器の断面図である。
【図８】本発明の第８の実施の形態を示す電気湯沸し器の断面図である。
【図９】本発明の第９の実施の形態を示す電気湯沸し器の断面図である。
【図１０】本発明の第１０の実施の形態を示す分割加熱器の全体断面図である。
【図１１】本発明の第１０の実施の形態における弁（ａ）と仕切り板のヒータ側の飽和温度の関係を示すグラフ（ｂ）を示す図である。
【図１２】（ａ）は本発明の第１１の実施の形態を示す仕切り板の部分の断面図、（ｂ）は活性炭収容ケースの斜視図、（ｃ）は別の形態の活性炭収容ケースの断面図である。
【図１３】（ａ）は本発明の第１２の実施の形態を示す仕切り板の平面図、（ｂ）は仕切り板の部分の断面図である。
【図１４】本発明の第１３の実施の形態を示す仕切り板の部分の断面図である。
【図１５】本発明の第１７の実施の形態を示す仕切り板の部分の断面図である。
【図１６】本発明の第１８の実施の形態を示す仕切り板の部分の断面図である。
【図１７】本発明の第１９の実施の形態を示す仕切り板の部分の断面図である。
【図１８】（ａ）は本発明の第２０の実施の形態を示す仕切り板とセンサの位置関係を示す説明図、（ｂ）は本発明の第２０の実施の形態を示す仕切り板とセンサの別の位置関係を示す説明図である。
【図１９】本発明の第２１の実施の形態における仕切り板の反ヒータ側の水温と出湯量の関係を示すグラフである。
【図２０】本発明の第２２の実施の形態における仕切り板の反ヒータ側の水温と出湯量の関係を示すグラフである。
【図２１】本発明の第２３の実施の形態を示す仕切り板の部分断面図である。
【図２２】本発明の第２４の実施の形態を示す仕切り板の部分の断面図である。
【図２３】本発明の第２５の実施の形態を示す給湯器断面図である。
【図２４】その逆止弁の動作の説明図である。
【図２５】従来の電気湯沸し器の断面図である。
【図２６】従来の給湯器（電気冷温水機）の断面図である。
【符号の説明】
３    ヒータ（加熱手段）
９    蓋
１６    遠心ポンプ（送水装置）
３１、６１、８１  容器
３２、６２、８２  出水孔
３３、５１、７２、８３  流水経路
３４、４１、６５、８４、１０１、１１１、１２１、１３１  仕切り板
３７、４２、６６、７１、８７、１３２  排泡孔
３８、６３、８９  開口
３９、６４、９０  導水管
９１    補助孔（補水路）
１０４    空気層
１１４、１２４  中空層
１３３    摺動弁
２１１    容器
２１２    ヒータ
２１３    仕切り板
２１４    弁
２１５    取湯口
２２３    活性炭
２３３    凸部
２３４    環状リブ
２３６    磁石
２３７    二重構造部
２３９    突起
２４０    突起
２４１    センサ
２４２    弁
２４７    温度可変部
２４８    内ヒータ
２４９    外ヒータ
３０１    容器
３０２    液体
３０３    加熱手段
３０４    仕切り板
３０５    逆止弁
３０７    内部温度検出手段
３０８    外部温度検出手段
【図１】
0004097854.tif 000002
【図２】
0004097854.tif 000003
【図３】
0004097854.tif 000004
【図４】
0004097854.tif 000005
【図５】
0004097854.tif 000006
【図６】
0004097854.tif 000007
【図７】
0004097854.tif 000008
【図８】
0004097854.tif 000009
【図９】
0004097854.tif 000010
【図１０】
0004097854.tif 000011
【図１１】
0004097854.tif 000012
【図１２】
0004097854.tif 000013
【図１３】
0004097854.tif 000014
【図１４】
0004097854.tif 000015
【図１５】
0004097854.tif 000016
【図１６】
0004097854.tif 000017
【図１７】
0004097854.tif 000018
【図１８】
0004097854.tif 000019
【図１９】
0004097854.tif 000020
【図２０】
0004097854.tif 000021
【図２１】
0004097854.tif 000022
【図２２】
0004097854.tif 000023
【図２３】
0004097854.tif 000024
【図２４】
0004097854.tif 000025
【図２５】
0004097854.tif 000026
【図２６】
0004097854.tif 000027